(57)【特許請求の範囲】
【請求項１】
弁部を有する本体機構部とカバーとを有する水栓であって、床上の所定高さ位置において壁側から前方に突出した形態の湯桶台を該カバーにて構成し、該カバーの上面にて形成される該湯桶台の上面を湯桶を載せる載置面となすとともに、該湯桶台内部に且つ該載置面より下側に前記本体機構部を配設して該湯桶台にて該本体機構部を包み込み、該本体機構部に給水元管，給湯元管をそれぞれ接続するとともに、該湯桶台の上方に且つ該湯桶台上の前記湯桶に向けて吐水する状態に吐水口を設け、該吐水口と該本体機構部の混合水の出口とを管路にて連絡したことを特徴とする浴室用壁付水栓。
【請求項２】
請求項１において、前記給水元管，給湯元管が壁裏に配管してあり、それら給水元管及び給湯元管と前記本体機構部とが壁を貫通して接続してあることを特徴とする浴室用壁付水栓。
【請求項３】
請求項１，２の何れかにおいて、前記カバーは前記本体機構部から前記吐水口に到る前記管路を包み込んでいることを特徴とする浴室用壁付水栓。
【請求項４】
請求項１〜３の何れかにおいて、前記カバーが樹脂から成っていることを特徴とする浴室用壁付水栓。
【請求項５】
請求項１〜４の何れかにおいて、前記本体機構部の操作ハンドルが、前記湯桶台の前記載置面より下側で且つ外部に露出する状態で前記カバーの側部に設けてあることを特徴とする浴室用壁付水栓。
【発明の詳細な説明】
【０００１】
【発明の属する技術分野】
この発明は浴室の洗い場用水栓として好適な壁付水栓に関する。
【０００２】
【従来の技術及び発明が解決しようとする課題】
従来、図３（Ｂ）に示しているように浴室の洗い場用水栓（壁付水栓）２０２は、洗い場の壁２００に対して低い位置に設置されていた。
従ってこの水栓２０２を使用するに当っては、洗い場の床２０４上に湯桶２０６を置いて、そこに水栓２０２から混合水を注ぎ入れるようにするのが通常であり、この場合使用者は腰を前屈みにした窮屈な姿勢で水栓２０２ないし湯桶２０６を用いなければならず、特に足腰の弱い人にとっては使用し辛く、また腰に大きな負担がかかるといった問題があった。
【０００３】
この場合において水栓２０２の取付位置を高い位置に変更しようとすると、これに応じて壁裏に配管されている給水元管，給湯元管の端部接続口を高位置に変更しなければならず、この場合壁を削って配管工事をやり直さなければならず工事が大掛りとなってそのためのコストが高いものとなり、加えて工期も長くなってその間浴室を使用できなくなってしまうといった問題を生ずる。
【０００４】
【課題を解決するための手段】
本発明の浴室用壁付水栓はこのような課題を解決するために案出されたものである。
而して請求項１のものは、弁部を有する本体機構部とカバーとを有する水栓であって、床上の所定高さ位置において壁側から前方に突出した形態の湯桶台を該カバーにて構成し、該カバーの上面にて形成される該湯桶台の上面を湯桶を載せる載置面となすとともに、該湯桶台内部に且つ該載置面より下側に前記本体機構部を配設して該湯桶台にて該本体機構部を包み込み、該本体機構部に給水元管，給湯元管をそれぞれ接続するとともに、該湯桶台の上方に且つ該湯桶台上の前記湯桶に向けて吐水する状態に吐水口を設け、該吐水口と該本体機構部の混合水の出口とを管路にて連絡したことを特徴とする。
【０００５】
請求項２のものは、請求項１において、前記給水元管，給湯元管が壁裏に配管してあり、それら給水元管及び給湯元管と前記本体機構部とが壁を貫通して接続してあることを特徴とする。
【０００６】
請求項３のものは、請求項１，２の何れかにおいて、前記カバーは前記本体機構部から前記吐水口に到る前記管路を包み込んでいることを特徴とする。
【０００７】
請求項４のものは、請求項１〜３の何れかにおいて、前記カバーが樹脂から成っていることを特徴とする。
【０００８】
請求項５のものは、請求項１〜４の何れかにおいて、前記本体機構部の操作ハンドルが、前記湯桶台の前記載置面より下側で且つ外部に露出する状態で前記カバーの側部に設けてあることを特徴とする。
【０００９】
【作用及び発明の効果】
上記のように請求項１の浴室用壁付水栓はカバー付きのものであって、そのカバーにより床上の所定高さ位置において壁側から前方に突出した形態の湯桶台を構成してその内部に本体機構部を配設し、そしてこれを給水元管，給湯元管に接続するとともに湯桶台の上方位置に吐水口を設けたもので、この壁付水栓の場合、本体機構部を従来の浴室の洗い場用水栓と同等の高さ位置に位置させつつ、これより所定距離上方の高位置から吐水させることができる。
そしてその吐水口からの混合水（湯）を、床上の所定高さ位置の湯桶台に載せた湯桶に対し注ぎ入れることができる。
【００１０】
従ってこの壁付水栓にあっては、水栓ないし湯桶を使用するに当って従来のように腰を前屈みにした窮屈な姿勢を取らなくても良く、楽な姿勢で湯桶内の混合水を用いて顔を洗ったり、タオル洗いをしたりするなど必要な作業をすることができる。
それ故足腰の弱い人に対して腰に大きな負担をかけてしまうといった従来の不都合を解消することができる。
【００１１】
またこの壁付水栓にあっては、給水元管，給湯元管と接続される本体機構部を従来の浴室の洗い場用水栓と同様に低い位置に保持したままとすることができるため、本発明の壁付水栓の設置に際して、それら給水元管，給湯元管が壁裏に配管してあり、壁を貫通して本体機構部と接続される場合においても、壁を削って配管工事をやり直さなければならないといった問題を生じず、簡単な工事で安価にこれを行うことができる（請求項２）。
また工期も短くて済むため、その工事の期間中入浴ができなくなってしまうといった不都合も解消することができる。
【００１２】
本発明の壁付水栓はまた、本体機構部をカバーにて包み込んでいるためその清掃性も良好である特長を有する。
即ち従来の壁付水栓の場合、図３（Ｂ）に示しているように本体機構部が三次元の複雑な凹凸形状をなしており、清掃の際に清掃し辛いものとなっていたが、本発明ではその本体機構部をカバーにて包み込んでおり、清掃に際してそのカバーの表面を清掃する際に凹凸が少ないことから、清掃性が良好で容易にその清掃を行うことができる。
【００１３】
請求項３のものは、そのカバーにて本体機構部から吐水口に到る管路を包み込むようになしたもので、このようにしておけば本体機構部のみならず、その管路をもカバー内部に隠蔽した状態とできるため、全体の外観が良好となり、また清掃性もより良好となる。
【００１４】
この場合においてそのカバーは樹脂にて構成することができる（請求項４）。
このようにしておけば、壁付水栓において高温となる部分を直接不用意に触ってしまって熱い思いをするといった不都合を解消することができ、壁付水栓の安全性を高めることができる。
【００１５】
本発明ではまた本体機構部の操作ハンドルを、湯桶台の上面即ち湯桶を載せる載置面より下側で且つ外部に露出する状態で、上記カバーの側部に設けておくことができる（請求項５）。
【００１６】
【実施例】
次に本発明の実施例を図面に基づいて詳しく説明する。
図１において、１０は浴室の洗い場用水栓としての壁付水栓であって、洗い場の床１２から所定距離高位置において浴室の壁、具体的には洗い場の壁１４に設置されている。
【００１７】
この壁付水栓１０は、図２及び図３（Ａ）に示しているように弁部を内蔵した本体機構部１６と、これを包み込む樹脂製のカバー１８とを有している。
本体機構部１６は、図３（Ａ）に示しているようにクランク脚２０を介して壁１４の裏側に配管された給水元管，給湯元管の端部接続口２２に壁１４を貫通して接続されている。
【００１８】
２４は樹脂製のカバー１８にて構成された湯桶台で上面２６が平坦面に形成されており、この上面２６の上に湯桶２８を載せて使用できるようになっている。
上記本体機構部１６はこのカバー１８にて構成された湯桶台２４の内部に収納されている。
【００１９】
而してこの湯桶台２４の左側部には温調ハンドル（温度調節ハンドル）２９が設けられ、また右側部には切替ハンドル３０が設けられていて、それぞれが湯桶台２４内部の本体機構部１６に作動的に連結されている。
【００２０】
ここで温調ハンドル２９は、後述の吐水口３２からの吐水の温度を調節するためのハンドルであり、また切替ハンドル３０は、その吐水口３２からの吐水と後述のシャワーヘッド３４からの吐水とを切り替え、また併せて水量調節及び止水を行うためのハンドルである。
【００２１】
この壁付水栓１０は、湯桶台２４に対して所定距離上方位置に吐水口３２を有している。
ここで吐水口３２は湯桶台２４上の湯桶２８に対し吐水を行う向きで設けられている。
【００２２】
上記樹脂製のカバー１８は、湯桶台２４に続いて上方に立ち上がる立上り部４０を有しており、この立上り部４０が本体機構部１６から延び出した吐水管（管路）３８を包み込んでいる。この吐水管３８は、本体機構部１６における混合水の出口と吐水口３２とを連絡している。
【００２３】
本体機構部１６からはまた、可撓性のシャワーホース４２が延び出しており、その先端に上記のシャワーヘッド３４が接続されている。
而して壁１４にはシャワーヘッド３４を掛止するためのシャワーフック４４が設けられており、更にまたミラー４６が取り付けられている。
【００２４】
本例の壁付水栓１０の場合、洗い場で顔洗いや体洗い或いはタオル洗い等をする際、湯桶台２４上に湯桶２８を載せ、そこに吐水口３２から水や湯或いは適温の混合水を注いで湯桶２８に溜めることができる。
即ち従来と異なって湯桶２８を洗い場の床１２より所定距離高位置に支持した状態で、そこに吐水口３２から吐水を行うことができる。
【００２５】
かかる本例の壁付水栓１０によれば、図３に比較して示しているように本体機構部１６を従来の浴室の洗い場用水栓と同等の高さ位置に位置させつつ、これより所定距離上方の高位置から吐水させることができる。
そしてその吐水口３２からの混合水（湯）を、床１２上の所定高さ位置の湯桶台２４に載せた湯桶２８に対し注ぎ入れることができる。
【００２６】
従って本例においては、湯桶２８を使用するに当って従来のように腰を前屈みにした窮屈な姿勢を取らなくても良く、楽な姿勢で湯桶２８内の混合水を用いて顔を洗ったりタオル洗いをしたりするなど必要な作業をすることができる。
それ故足腰の弱い人に対して腰に大きな負担をかけてしまうといった従来の不都合を解消することができる。
【００２７】
また本例においては、例えばリフォームに際して壁付水栓１０の設置を行う際に、給水元管，給湯元管と接続される本体機構部１６を従来の浴室の洗い場用水栓と同様の低い位置に保持しておくことができるため、水栓設置に際して壁裏の給水元管，給湯元管の配管工事をやり直さなくても良く簡単な工事で安価にこれを行うことができ、また工期も短くて済む。従って工事の期間中入浴ができなくなってしまうといった問題も生じない。
【００２８】
本例の壁付水栓１０はまた、本体機構部１６をカバー１８にて包み込んでいて、清掃に際してそのカバー１８を清掃すれば良く、しかもそのカバー１８は表面の凹凸が少ないことから清掃性が良好で、容易にその清掃作業を行うことができる。
【００２９】
更に本例ではそのカバー１８にて本体機構部１６のみならず吐水管３８をも包み込んでいるため、全体の外観が良好であり、また清掃性も良い。
【００３０】
以上本発明の実施例を詳述したがこれはあくまで一例示であり、本発明はその主旨を逸脱しない範囲において種々変更を加えた形態で構成可能である。
【図面の簡単な説明】
【図１】  本発明の一実施例である壁付水栓を浴室の壁への取付状態で示す図である。
【図２】  図１の壁付水栓を内部の本体機構部とともに示す図である。
【図３】  同じ実施例の壁付水栓の特徴を従来の浴室の壁付水栓と比較して示す説明図である。
【符号の説明】
１０  壁付水栓
１２  床
１４  壁
１６  本体機構部
１８  カバー
２２  端部接続口
２４  湯桶台
２６  上面
２８  湯桶
３２  吐水口
３８  吐水管（管路）
４０  立上り部
【図１】
0004212016.tif 000002
【図２】
0004212016.tif 000003
【図３】
0004212016.tif 000004